(57)【要約】      （修正有）【課題】据え付け条件を容易ならしめる屋根窓を提供する。【解決手段】屋根窓は、上辺部材・下辺部材６・２つの側辺部材を有するフレームを備えると共に、フレーム下辺部材６に組み付けられるようになっている下辺フレームカバー２３７と、側辺部材に組み付けられるようになっている側辺フレームカバー２７０とを含むカバー２３７、２７０を備える屋根窓。下辺フレームカバー２３７には、側辺部材および側辺フレームカバー２７０とに接続されるようになっている継ぎ手セット２３９、２４５が設けられる。特に、この継ぎ手セットは、角ブラケット２３９と中間部材２４５とを備える。【選択図】図９
0003195254.tif 000002
【実用新案登録請求の範囲】
【請求項１】
上辺部材（５）・下辺部材（６）・２つの側辺部材（７、８）を有するフレーム（２）を備えると共に、前記フレーム下辺部材（６）に組み付けられるようになっている下辺フレームカバー（２３７）と、前記フレーム側辺部材（７）に組み付けられるようになっている側辺フレームカバー（２７０）とを含むカバー（２３７、２７０）を備える屋根窓（１）において：
前記下辺フレームカバー（２３７）は、前記フレーム側辺部材（７）および前記側辺フレームカバー（２７０）に接続されるようになっている継ぎ手セット（２３９、２４５）を備え；
前記継ぎ手セットは角ブラケット（２３９）と中間部材（２４５）とを備え；
前記角ブラケット（２３９）は、組み付けられた状態において、その長手方向（２４０）が前記側辺フレーム部材（７）の前記長手方向に沿って、延在するようになっている；
ことを特徴とする、屋根窓（１）。
【請求項２】
前記角ブラケット（２３９）は、前記側辺フレーム部材（７）に設けられた凹部内に延在するようになっていることを特徴とする、請求項１に記載の屋根窓。
【請求項３】
前記角ブラケット（２３９）は第１の壁（２４１）と第２の壁（２４２）と備え、前記２つの壁は互いに対して基本的に垂直であることを特徴とする、請求項１または２に記載の屋根窓。
【請求項４】
前記第１の壁（２４１）の内面が前記下辺フレームカバー（２３７）の一端縁（２４４）に当接することを特徴とする請求項３に記載の屋根窓。
【請求項５】
前記角ブラケット（２３９）の前記第１の壁（２４１）の外面が前記側辺フレームカバー（２７０）の第１の壁（２７２）の内面に当接するようになっていることと、前記角ブラケット（２３９）の前記第２の壁（２４２）の外面が前記側辺フレームカバー（２７０）の第２の壁（２７３）の内面に当接するようになっていることとを特徴とする請求項３または４に記載の屋根窓。
【請求項６】
前記壁（２４１、２４２）は、前記側辺フレームカバー（２７０）の前記第１および第２の壁の折り返し部分（２７６、２７７）に嵌まるようになっている溝（２４６、２４７）で終端することを特徴とする請求項３乃至５の何れか１項に記載の屋根窓。
【請求項７】
前記折り返し部分（２７６、２７７）および前記溝（２４６、２４７）の寸法は、前記角ブラケット（２３９）への前記側辺フレームカバー（２７０）のスナップロック係合をもたらすように構成されることを特徴とする請求項６に記載の屋根窓。
【請求項８】
前記角ブラケット（２３９）は、その後に、シャッターまたは他の遮光形態などの、オプションの装備品を後で組み付けるためのねじを通すべく意図された貫通穴（２７８）を備えることを特徴とする請求項１乃至７の何れか１項に記載の屋根窓。
【請求項９】
組み付けられた状態で前記下辺フレームカバー（２３７）の前記上面（２５１）に平行になるべく構成された前記中間部材（２４５）の前記壁（２５０）にスリット（２４８）が設けられ、前記スリット（２４８）は、前記角ブラケット（２３９）の前記第２の壁（２４２）から前記角ブラケット（２３９）の前記第１の壁（２４１）に平行な方向に延在する基本的にＴ字形状の突起（２５２）を受け入れるようになっていることを特徴とする請求項１乃至８の何れか１項に記載の屋根窓。
【考案の詳細な説明】
【考案の詳細な説明】
【０００１】
本考案は、上辺部材と、下辺部材と、２つの側辺部材とを有するフレームを備えた屋根窓であって、フレーム下辺部材に組み付けられるようになっている下辺フレームカバーとフレーム側辺部材に組み付けられるようになっている側辺フレームカバーとを含むカバーを更に備える屋根窓に関する。
【０００２】
この種の公知の屋根窓においては、カバーの各部品の組み付けが厄介な場合がある。その理由は、これら部品の大半は、フレームを屋根の開口に据え付けた後でないと、フレームに固締され得ないからである。したがって、カバーを固締するための工具と共に、複数の要素を取り扱う必要がある。
【０００３】
したがって本考案の一目的は、据え付け条件を容易ならしめる屋根窓を提供することである。
【０００４】
上記および他の目的は、フレーム側辺部材と側辺フレームカバーとに接続されるようになっている継ぎ手セットが下辺フレームカバーに設けられる窓によって達成される。
【０００５】
下辺フレームカバーを継ぎ手セットに接続することによって、据え付けが容易になる。
【０００６】
この継ぎ手セットは、側辺フレームカバーと下辺フレームカバーとをフレームに相互接続するための中間部材と角ブラケットとを備えることが好ましく、前記角ブラケットは、組み付けられた状態において、その長手方向が側辺フレーム部材の長手方向に沿って延在するようになっていることが好ましい。これにより、両カバー部材の確実で安定した取り付けがもたらされる。
【０００７】
更には、角ブラケットと両カバー部材とを相互スナップロック係合用に適合化することによって、両カバーの取り付けを、おそらくは取り外しも、容易にし得る。このようなスナップロック、またはスナップ機能なしの単純なロック係合は、互いに噛み合う複数の突出部と複数の溝とを両カバー部材と角ブラケットとに設けることによって実現され得る。
【０００８】
複数の好適な実施形態および更なる利点は、以下の詳細な説明および添付の実用新案登録請求の範囲から明らかになるであろう。
【０００９】
以下に、一実施形態の非限定例によって、および概略図を参照して、本考案を更に詳しく説明する。
【００１０】
図１および図２は、平面１６を画成する窓ガラス４と、フレーム平面を画成する上辺部材５、下辺部材６、および２つの側辺部材７、８を有するフレーム２と、サッシ平面を画成する上辺部材９、下辺部材１０、および２つの側辺部材１１、１２を有するサッシ３とを備えた、本考案による窓１の好適な一実施形態を示す。図示の実施形態においては、サッシ３およびフレーム２のそれぞれの側辺部材７、１１の間、および８、１２の間、に設けられたピボットヒンジ（図４ａおよび図４ｂでは２００）によって、サッシ３はフレーム２に接続され、ピボットヒンジ２００によって画成されたピボットヒンジ軸線２１を中心として窓１のサッシ３を傾斜させることによってサッシ３を開くことができるという点で、この窓は中心懸架式である。ピボットヒンジ２００は２つの部分、すなわちサッシ側部分（不図示）とフレーム側部分２０、を備える。
【００１１】
使用されるヒンジは、本出願人の以前の国際公開第９９／２８５８１号および英国特許出願公開第１０２８２５１号に記載されている種類のものであることが好ましい。この種のヒンジにおいては、窓の開閉中、一方のヒンジ部分のタップと弯曲部材とが他方のヒンジ部分の弯曲した案内軌道内を移動する。この曲率半径により、このようなヒンジの使用時、ヒンジ軸線は実際の両ヒンジ部分の上方近距離にあるので、サッシ枠が回転されると、最初に弯曲部材が、次にタップが、必然的に軌道から出ることになる。この組み合わせによってもたらされる移動パターンにより、中心懸架式窓の容易な操作が可能になるばかりでなく、サッシ枠のほぼ全周回転が可能になる。
【００１２】
窓１の閉位置とは、本説明で使用されるとき、フレーム平面とサッシ平面とが一致する、すなわち互いに０度の角度を成す、位置を意味する。同様に、窓１の開位置とは、本願明細書で使用されるとき、全般的に、サッシ３がピボットヒンジ軸線２１を中心に傾斜し、フレーム平面とサッシ平面とがもはや一致していない位置を意味する。
【００１３】
図１において分かるように、窓１の縦方向軸線１３は、フレーム上辺部材５とフレーム下辺部材６との間に延びる軸線であって、これら部材５、６に垂直な軸線であると規定される。窓の横方向軸線１４は、フレーム側辺部材７および８の間に延びる軸線であって、これら部材７、８に垂直な、ひいては縦方向軸線１３に垂直な軸線であると規定される。窓１の奥行軸線１５は、縦方向軸線１３および横方向軸線１４の両方に垂直な軸線であると規定される。ピボットヒンジ軸線２１と横方向軸線１４とは平行しており、各図には重なって図示されている。
【００１４】
窓１は、フレーム２とサッシ３とを互いにロックするための、それ自体は公知の種類のロック１７と、窓１の閉位置においてサッシ３とフレーム２との間の間隙を密封するためにサッシ３に設けられた、略外周全体に延在する密封体１８とを更に備える。密封体１８は、少なくとも１つの、好ましくは少なくとも２つの、密封条片を備える。
【００１５】
図１には中心懸架式の窓１が示されているが、本考案による窓は、他の複数の実施形態においては、上辺懸架式でもよく、中間フレーム構造があっても無くてもよく、ヒンジ軸線が上辺と中心との間のどこかにあってもよく、側辺懸架式でもよく、更に言うなら下辺懸架式でもよい。
【００１６】
本考案による窓のサッシ３およびフレーム２は、例えば、木製部材で、あるいは注型または押出ポリウレタン（ＰＵＲ）製部材で、製造され得る。
【００１７】
図３を参照すると、窓１は、窓ガラス４が窓のサッシ３から脱落するのを防ぐように窓ガラス４を保持するための窓ガラス保持装置３００を少なくとも１つ、好ましくは少なくとも２つ、サッシ３の下辺サッシ部材１０に備える。窓ガラス保持装置３００は、下辺サッシカバー３１９の表面３０７に取り付けられ、窓ガラス４に当接するようになっている面３０２を有するように形作られる。したがって、窓ガラス保持装置３００は、例えば、ほぼ箱形状、またはほぼ楔形状、に形作られ得る。窓ガラス保持装置３００は、硬質プラスチック製であることが好ましい。
【００１８】
上記のように、窓１は、ガラス上方サッシカバー３１９を更に備える。これは、窓ガラス４に当接するようになっている第１の区画３２０と、下にある窓ガラス保持装置（単数または複数）３００、遮断要素３０３、下辺サッシガスケット３１０、および下辺サッシ部材１０を覆うようになっている第２の区画３２１であって、実質的に第１の区画３２０の拡張部分として第１の区画３２０に平行に延在する第２の区画３２１と、第２の区画３２１から第２の区画３２１に対してほぼ垂直に延在する第３の区画３２２であって、窓１の縦方向１３に窓ガラス４から離れた側の下辺サッシ部材１０の表面を保護するようになっている第３の区画３２２とを備える。
【００１９】
下辺サッシ部材１０と下辺サッシカバー３１９との間の移行部の遮断をもたらすための遮断要素３０３が下辺サッシ部材１０に取り付けられる。遮断要素３０３は、窓ガラス保持装置３００を収容するように形作られた凹部３０４を少なくとも１つ、好ましくは少なくとも２つ、備える。凹部３０４は、窓ガラス保持装置３００の周囲に締りばめをもたらすように形作られ、これにより、窓ガラス保持装置３００の近傍に最適な遮断状態をもたらすことが好ましい。
【００２０】
遮断要素３０３は、スチレン、ポリスチレン、発砲ポリスチレン（ＥＰＳ）、または押出ポリスチレン（ＸＰＳ）製であることが好ましい。遮断要素３０３は、１つの要素として作られることが好ましいが、原則として、いくつかの要素でもよい。遮断要素３０３は、下辺サッシ部材１０と下辺サッシカバー３１９との間に載置されるように、取り付け手段（不図示）、例えば複数のねじまたは接着剤など、によって下辺サッシ部材１０に取り付けられる。好ましくは、窓ガラス４と下辺サッシカバー３１９とが窓１に取り付けられる前に、遮断要素３０３と窓ガラス保持装置（単数または複数）３００とは、両要素を貫通して下辺サッシ部材１０内に設けられる取り付け手段、好ましくはねじ、を用いて取り付けられる。
【００２１】
遮断要素３０３は、組み付けられた姿勢において、下辺サッシ部材１０に面する下辺サッシカバー３１９の表面３０６の起伏にほぼ対応する起伏を有する第１の表面３０５を備えることが好ましい。
【００２２】
遮断要素３０３は、更に、下辺サッシ部材１０から、窓１の縦方向１３に窓１の窓ガラス４から離れる方向に、延在する。遮断要素３０３は、第２の表面３０７を備える。第２の表面３０７は、以下に説明する下辺サッシガスケット３１０の対応する凹凸３０９、すなわちリブまたは突起など、に係合するようになっている凹凸３０８、好ましくはスロットまたは凹部など、を有し得る。
【００２３】
上記のような遮断要素３０３を設けることは、木製のフレーム２およびサッシ３を有する窓１の場合に特に好適である。ポリウレタンまたは同様の材料から成るサッシ３およびフレーム２を有する窓の場合は、遮断要素と下辺サッシ部材１０とを１つの一体型要素にし得る。
【００２４】
同じく図３を参照すると、窓１は、下辺サッシ部材１０に取り付けられる、好ましくはゴム材料製の、下辺サッシガスケット３１０を更に備える。下辺サッシガスケット３１０の目的は、窓１の閉位置において、下辺サッシ部材１０と下辺フレーム部材６との間の間隙を密封することである。
【００２５】
図４ａおよび図４ｂでも分かるように、下辺サッシガスケット３１０は第１の部分３１６と、第２の部分３１７と、第１の部分３１６に対応する第１の表面部分３１１ａおよび第２の部分３１７に対応する第２の表面部分３１１ｂを備えた第１の表面３１１と、第１の表面３１１の反対側の第２の表面３１２とを備える。第１の部分３１６は、下辺サッシ部材１０に取り付けられるようになっている。第２の部分３１７は、下辺サッシ部材１０に取り付けられたとき、下辺サッシ部材１０から、窓１の縦方向１３に窓ガラス４から離れる方向に、延在する。
【００２６】
下辺サッシガスケット３１０は、上記の遮断要素３０３の表面３０７に形成された、スロットまたは凹部など、対応する凹凸３０８に係合する、リブまたは突起など、凹凸３０９を備え得る。第２の表面３１２は、凹凸３０９を備えることが好ましい。
【００２７】
第１の表面３１１の第１の表面部分３１１ａは、下辺サッシ部材１０に取り付けられるようになっている。第１の表面３１１の第２の表面部分３１１ｂは、窓１の閉位置において下辺サッシ部材１０と下辺フレーム部材６との間の間隙を密封するように、窓１の閉位置において、下辺フレーム要素６に組み付けられた下辺フレームカバー２３７に緊密に当接するようになっている。このために、下辺サッシガスケット３１０の第２の部分３１７は、下記のように構成される。
【００２８】
下辺サッシガスケット３１０の第１の部分３１６は、ほぼ平坦であり、断面が矩形である。他方、第２の部分３１７は、第１の断面区画３１３と、第２の断面区画３１４と、第３の断面区画３１５とを備える。第１の断面区画３１３は、第１の部分３１６にほぼ平行であり、第１の部分３１６の拡張部分として延在する。第２の断面区画３１４は、第１の断面区画３１３に対して、好ましくは１０乃至４５度、傾斜している。第３の断面区画３１５は、第２の部分３１７がほぼフック形状の断面を備えるように、第２の断面区画３１４に対して、好ましくは４５乃至８５度、傾斜している。
【００２９】
第２の部分３１７、または第２の部分３１７の少なくとも第３の断面区画３１５は、上記に加え、下辺サッシカバー３１９の第３の区画３２２に密封状に当接するようになっていてもよい。この点に関して、第２の部分３１７のフック形状の断面構成は、より大きな当接面、ひいてはより良好な密封性、をもたらすという更なる利点を有する。
【００３０】
下辺サッシガスケット３１０は、好ましくは第１の部分３１６と第２の部分３１７との間の移行部に、第１の表面３１１からほぼ直角に延在するフランジ３１８を少なくとも１つ更に備え得る。フランジ３１８は、湿気が下辺サッシガスケット３１０と下辺サッシ部材１０との間に浸透し得ないことを保証するように、窓１の縦方向１３に窓ガラス４とは反対の側の下辺サッシ部材１０の表面に当接するようになっている。
【００３１】
下辺サッシカバー３１９と、窓ガラス保持装置（単数または複数）３００と、遮断要素３０３と、下辺サッシガスケット３１０とは、好ましくはこの順番で、要素３１９、３００、３０３、および３１０を全て貫通して下辺サッシ部材１０内に延在する同じ取り付け手段、好ましくは少なくとも１つのねじ、によって全て下辺サッシ部材１０に取り付けられ得る。
【００３２】
遮断要素３０３および下辺サッシガスケット３１０の上記実施形態は、木製のフレーム２およびサッシ３を有する窓１を特に対象としている。
【００３３】
押出、成形、または注型ポリウレタン（ＰＵＲ）または同様の材料で作られたフレーム２およびサッシ３を有する窓１の場合、下辺サッシ部材１０と遮断要素３０３とは１つの一体型要素として製造され得る。他方、下辺サッシガスケット３１０は、一体化された下辺サッシ部材１０および遮断要素３０３の溝または凹部に配置される１つ以上の密封条片または同様の適した要素として設けられ得る。
【００３４】
次に図５および図６を参照すると、窓１は、上辺ケーシング５００を窓１のフレーム２にロックするためのロック機構５３５を更に備える。このロック機構は、窓１のフレーム２の側辺フレーム部材７、８の上辺フレーム部材５に近い位置に取り付け手段５３６、好ましくはねじ、によって取り付けられる少なくとも１つのブラケット５３５として設けられる。すなわち、特にＰＵＲ窓に関しては、少なくとも２つのブラケット５３５が、上記の当接辺材４３０と同様のフレーム当接辺材（図５および図６には不図示）の上辺フレーム部材５に面する一端の近傍において、側辺フレーム部材７、８に取り付けられる。これらブラケット５３５は、プラスチック製、特に押出プラスチック製、であることが好ましいが、例えば金属製でもよい。
【００３５】
ブラケット５３５は、この好適な実施形態において、第１の区画５３８と第２の区画５３９とを備え、好ましくは１つの一体型要素として作られる。
【００３６】
第１の区画５３８は、取り付け手段５３６を受け入れるための穴５４０を少なくとも１つ備える。穴５４０は、貫通穴であることが好ましい。第１の区画５３８は、ほぼ平板形状であることが好ましい。第１の区画５３８は、ブラケット５３５が組み付けられた姿勢において側辺フレーム部材７または８とは反対の側の表面５４５に設けられた構造５４２を更に備える。構造５４２は第１の区画５３８から僅かに突出し、ほぼＴ字形状の断面を有し、ひいては２つの側方切込み５４２ａおよび５４２ｂを備える。これにより、構造５４２、特に切込み５４２ａ、５４２ｂ、は、図５に点線で示されているように、フレーム突当ビードカバー２１７の切欠き２２９との係合を案内するようになっている。これにより、フレーム突当ビードカバー２１７の組み付けを容易にし、ブラケット５３５に対するその正確な位置付けを保証する。組み付けられた姿勢において、表面５４５とフレーム突当ビードカバー２１７とは当接し合う。構造５４２は、凹部５４３を更に備える。
【００３７】
第２の区画５３９は、側辺フレーム部材７または８、特にフレーム当接辺材の直上の側辺フレーム部材７および８、に少なくとも当接、好ましくは係合、するようになっている。図示の実施形態において、第２の区画は、側辺フレーム部材７または８の対応する穴に係合するようになっている２つの係合手段５６２および５６３を備えているという点で、側辺フレーム部材７または８と係合するようになっている。このような係合手段は２つ以外の数、例えば１つまたは３つ、設けられてもよい。
【００３８】
第２の区画５３９は、２つの当接手段５６０、５６１を備えた構造を備える。当接手段５６０、５６１は、いくつかの機能を有する。特に、当接手段５６０、５６１は、窓が組み付けられた姿勢において、側辺フレーム部材７または８とこれに対応するフレーム突当ビードカバー２１７との間の正確な距離を保証するようになっている。更に、当接手段５６０、５６１は、側辺フレームカバー２７０の一縁端に当接して、ブラケット５３５と側辺フレームカバー２７０との正確な相互載置を保証するようになっていてもよく、あるいは側辺フレーム部材７または８へのブラケット５３５の正確な載置のために、側辺フレーム部材７または８の対応する溝と係合するようになっていてもよい。後者の場合、係合手段５６２および５６３の代わりに、例えばねじ用の、複数の穴を設けることも可能であり、あるいは係合手段５６２および５６３を全て省くことも可能である。
【００３９】
第２の区画５３９は、上辺ケーシング５００をブラケット５３５に取り付けるための、ひいては側辺フレーム部材７および８に、穴５４１の位置と取り付け手段の長さとに応じて直接または間接的に、取り付けるための、取り付け手段（不図示）を受け入れる穴５４１を少なくとも１つ更に備える。穴５４１は、貫通穴であることが好ましい。第２の区画５３９は、ほぼ箱または立方体の形状であることが好ましい。第２の区画５３９は、組み付け中に上辺ケーシング５００の正確な位置付けを保証するように、上辺ケーシング５００の組み付けブラケット５１０または５１１の対応する構造５４８、５４９のそれぞれとの、特にその長手方向壁５５０との、当接を案内するようになっている表面５４７を備えることが好ましい。好適な一実施形態において、表面５４７は、第２の区画５３９の断面積が、以下に説明する表面５４６から離れる方向に、増えるように傾斜している。
【００４０】
第２の区画５３９は、表面５４６に設けられた格子様構造５４４を更に備える。格子様構造５４４は、ブラケット５３５が組み付けられた姿勢において、側辺フレーム部材７または８とは反対の側に面する。
【００４１】
このロック機構は、窓１が開位置にあるとき、窓１が組み付けられた建物の内側からの上辺ケーシング５００の組み付け、および／または取り外し、を可能にする一方で、外側からの上辺ケーシング５００の取り外しを許さないので、窓からの、例えば泥棒の、侵入をより困難にするという利点を有する。
【００４２】
ロック機構５３５を設けるとき、ユーザは次の手順に従う。すなわち、最初に、例えば係合手段５６２および５６３を側辺フレーム部材７および８の対応する穴に係合させることによって、ロック機構５３５を各側辺フレーム部材７および８に組み付ける。その後、切欠き２２９が切込み５４２ａおよび５４２ｂに係合するように、フレーム突当ビードカバー２１７を組み付ける。次に、それぞれの案内構造５４７および５４８を当接させることによって、上辺ケーシングを所定位置に設置する。最後に、ねじなどの取り付け手段５３６を穴５４１に挿入貫通させ、更に構造５４８の穴５５１に挿入する。これにより、上辺ケーシング５００をロック機構５３５に、ひいては窓１のフレーム２に、固定する。
【００４３】
各側辺サッシ部材１１、１２に、ガラスリム異形材１０２が設けられる。以下においては、一方の側辺サッシ部材１１に設けられるようになっているガラスリム異形材１０２について説明する。同様の、ただし鏡面反転された、ガラスリム異形材が他方の側辺サッシ部材１２に設けられるようになっていることを理解されたい。
【００４４】
図７において最もよく分かるように、ガラスリム異形材１０２は長手方向１１３を有する。ガラスリム異形材１０２は側辺サッシ部材１１に組み付けられるようになっており、組み付けられた状態において、ガラスリム異形材１０２の長手方向１１３が側辺サッシ部材１１の長手方向に沿って、および窓ガラス４の側辺リム１１４に沿って、延在するようになっている。ガラスリム異形材１０２は、窓ガラス４をサッシ３に保持するように、かつ降水を締め出すように、基本的に、側辺リム１１４の全長に沿って延在する。
【００４５】
次に、図８を参照すると、ガラスリム異形材１０２がその長手方向１１３に垂直な断面図で示されている。ガラスリム異形材１０２は、第１の壁１０４と第２の壁１０５とを有する基本的にＬ字形状の部分を有する。これら２つの壁１０４、１０５は互いに対してほぼ垂直である。第１の壁１０４の第２の壁１０５とは反対側の一端から、第２の壁１０５に対して基本的に平行に、かつ第２の壁１０５と同じ方向に、フランジ１０３が延在する。
【００４６】
第２の壁１０５から基本的に円弧形状の部分が延在する。この円弧形状の部分は、第１の円弧壁１０６と、尖端１０７と、第２の円弧壁１０８とを備える。第１の円弧壁１０６と第２の円弧壁１０８とは、「Ｌ字」形状の第１の壁１０４に対してほぼ平行である。尖端１０７の頂点は、「Ｌ字」形状の第１の壁１０４とほぼ同じ高さである。
【００４７】
第２の円弧壁１０８から、僅かに円弧形状の、殆ど平坦な部分１０９が、第２の壁１０５に対して基本的に平行に、円弧形状部分から離れる方向に延在する。
【００４８】
僅かに円弧形状の、殆ど平坦な部分１０９の下から、小さなフランジ１１０が部分１０９に対して基本的に垂直に延在する。
【００４９】
僅かに円弧形状の、殆ど平坦な部分１０９は、僅かに円弧形状の部分１０９の下に延在するように折り返された折り返し部分１１１で終端する。折り返し部分１１１の最下部は、第２の壁１０５の下面と基本的に同じ高さにある。
【００５０】
第２の壁１０５の下面は、組み付けられた状態で、側辺サッシ部材１１の上向き面１０１に当接するようになっている。図７において最もよく分かるように、壁１０５には、ガラスリム異形材１０２の長手方向１１３に沿って複数の貫通穴１１２が分散されている（図７には１つの穴１１２だけが見える）。これらの穴１１２は、ガラスリム異形材１０２を側辺サッシ部材１１の上向き面１０１に固締するための複数のねじ１１５または同様の固締手段を受け入れるようになっている。
【００５１】
湿気の侵入に対するより良好な密封および／または固締効果をもたらすために、側辺サッシ部材１１の上向き面１０１とガラスリム異形材１０２の壁１０５の下面との間に、ガラスリム異形材１０２の長手方向１１３の全体または一部に沿って、ブチルゴムまたは同様の材料で作られた条片などの密封材料を設け得る。
【００５２】
あるいは、当該位置には、強化された密封、雑音減衰、および固締手段をもたらすという多機能を有する、成形または押出要素（不図示）を配置し得る。
【００５３】
第１の壁１０４と、第２の壁１０５と、第１の円弧壁１０６とは一緒に流路を形成する。この流路の一部は、組み付けられた状態で、サッシ突当ビードカバー２０１およびフレーム突当ビードカバー２１７によって（後に詳しく説明するように）覆われるが、この流路は、ここに落ちる如何なる降水も排出できるようになっている。したがって、ガラスリム異形材１０２は、組み付けられると、側辺サッシ部材１１のウエザーシールドの一部としての役割を果たす。
【００５４】
次に、第１の円弧壁１０６と、尖端１０７と、第２の円弧壁１０８とで形成された円弧形状部分に目を向けると、そこに遮断材料を挿入できるようになっている。そこへの遮断材料の挿入は、サッシ３全体としての断熱性の向上に寄与する。遮断に適した材料または材料の組み合わせであれば、例えば発泡樹脂製品など、如何なるものでも選択され得る。
【００５５】
僅かに円弧形状の、殆ど平坦な部分１０９は、組み付けられた姿勢において、フランジ１１０および折り返し部分１１１と連係し、窓ガラス４を側辺サッシ部材１１に押し付けて保持するようになっている。
【００５６】
図８において最もよく分かるように、僅かに円弧形状の、殆ど平坦な部分１０９とフランジ１１０とは、これらの間に、窓ガラス４に当接するように意図された密封材料製の条片１１７を受け入れるべく構成される。
【００５７】
折り返し部分１１１も窓ガラス４に当接して緊密な、基本的に水密の、移行部を形成するようになっている。また、折り返し部分１１１は、ガラスリム異形材１０２の緩やかな当接面を窓ガラス４に対してもたらすので、側辺リム１１４に沿った引っ掻き傷および亀裂が回避されるか、または少なくとも軽減される。
【００５８】
第２の壁１０５の下面と折り返し部分１１１の下面とがほぼ同じ高さにあるという事実により、組み付けられた状態で、窓ガラス４の上面４ａを側辺サッシ部材１１の上向き面１０１とほぼ同じ高さにすることができる。これは、冷たい外気と一切の降水とが相対的に離れたほぼ一様な高さに維持され、室内のより暖かい空気から効率的に離隔されるという効果がある。これは、サッシ構造経由の熱輸送を減らすために有利である。
【００５９】
サッシ３内への窓ガラス４の保持を助けるために十分な強度をもたらすために、ガラスリム異形材１０２は、金属、金属合金、またはこれらの組み合わせで作られる。ガラスリム異形材１０２は、何れか適した方法で、例えば押出、曲げ、または成形によって、製作される。
【００６０】
ガラスリム異形材の別の実施形態において、ガラスリム異形材１０２は２つの個別要素、すなわちガラス保持要素１１８と密封要素１１９、を備える。ガラス保持要素１１８は、窓ガラス４をサッシ３に保持するという目的を果たすようになっており、密封要素１１９は遮断とウエザーシールドとをもたらすようになっている。したがって、第１の実施形態において１つの一体型ガラスリム異形材によって実現されたガラスリム異形材の二重の役割は、この実施形態においては２つの要素１１８、１１９に分割される。
【００６１】
最初にガラス保持要素１１８に目を向けると、ガラス保持要素１１８はクリップ様断面形状を有する。
【００６２】
ガラス保持要素１１８の長手方向の拡がり１２０は、第１の実施形態のものよりはるかに短い。
【００６３】
窓ガラス４をサッシ３内に保持するには、十分な強度をもたらすために、より多くのガラス保持要素１１８が設けられる。第１の実施形態におけるねじ１１５用の貫通穴１１２の数とほぼ同じ数のガラス保持要素１１８が設けられると都合がよい。これらガラス保持要素１１８は、組み付けられた状態で、側辺サッシ部材１１の長手方向に沿って、好ましくは均等に、分散される。
【００６４】
ガラス保持要素１１８は、側辺サッシ部材１１に固締されるようになっている。これにより、側辺サッシ部材１１へのガラス保持要素１１８のクリップ様固締が得られる。これは、貫通穴とねじ、または同様の固締手段、が不要になるという効果がある。これは、サッシ構造内への穴経由の水の侵入およびねじの腐食が回避されるという点に関して有利である。また、組み付けられた状態で外側から見ると、より良好でより均質な外観をもたらす。また、窓ガラスをサッシ内に組み付ける工程において、ガラス保持要素１１８によるクリップ様の組み付けは、ねじ留め操作の必要性またはねじの脱落がない、窓ガラスの簡単かつ迅速な組み付けをもたらす。
【００６５】
窓ガラスをサッシ内に保持するための十分な強度をもたらすために、ガラス保持要素１１８は、金属、合金、またはこれらの組み合わせで作られることが好ましい。
【００６６】
次に密封要素１１９に目を向けると、密封要素１１９の断面形状は、以下により詳細に説明する突当ビードカバー２０１、２１７の断面形状に合わさるようになっている。この目的は、この２つの要素間に基本的に撥水性の移行部とウエザーシールド効果とをもたらすことである。
【００６７】
密封要素１１９は、申し分のない遮断および水密性をもたらすために、窓ガラス４の側辺リム１１４全体に沿って延在する。
【００６８】
密封要素１１９は、熱輸送を軽減するように、非金属材料で作られることが好ましい。断熱に関して優れた特性を有し、かつ熱輸送を回避する材料、または材料の組み合わせ、であれば、例えば単一のポリマーまたは複数ポリマーの組み合わせなど、如何なるものでも適している。
【００６９】
上記のように、サッシ突当ビードカバーおよびフレーム突当ビードカバーは、窓構造の耐候性化を助ける。側辺サッシ部材１１、１２の各々にサッシ突当ビードカバーが設けられ、側辺フレーム部材７、８の各々にフレーム突当ビードカバーが設けられる。
【００７０】
以下においては、一方の側辺サッシ部材１１および一方の側辺フレーム部材７にそれぞれ設けられるようになっているサッシ突当ビードカバー２０１およびフレーム突当ビードカバー２１７について説明する。同様の、ただし鏡面反転された、サッシ突当ビードカバーおよびフレーム突当ビードカバーがもう一方のサッシおよび側辺フレーム部材１２、８にそれぞれ配置されるようになっていることを理解されたい。
【００７１】
図９において最もよく分かるように、サッシ突当ビードカバー２０１は長手方向２５９を有し、フレーム突当ビードカバー２１７は長手方向２６０を有する。サッシ突当ビードカバー２０１は側辺サッシ部材１１に組み付けられるようになっており、組み付けられた状態で、その長手方向２５９が側辺サッシ部材１１の長手方向に沿って延在するようになっている。同様に、フレーム突当ビードカバー２１７は側辺フレーム部材７に組み付けられるようになっており、組み付けられた状態で、その長手方向２６０が側辺フレーム部材７の長手方向に沿って延在するようになっている。
【００７２】
サッシ突当ビードカバー２０１およびフレーム突当ビードカバー２１７の断面プロファイルは、それぞれの長手方向に沿って見ると、基本的に同様である。したがって、以下の説明はフレーム突当ビードカバー２１７の断面形状に言及しているが、サッシ突当ビードカバー２０１の断面形状にも当てはまる。
【００７３】
図８を参照すると、フレーム突当ビードカバー２１７はほぼ平坦な中央部分２１８を備える。その一端には、フレーム突当ビードカバー２１９が組み付けられた状態で、側辺フレームカバー２７０に設けられた水密ガスケット２６１に密封状に係合するように、フランジ２１９が延在する。
【００７４】
中央部分２１８の他端には、フレーム突当ビードカバー２１７が延在して、ガラスリム異形材１０２と共に、ラビリンスシールを形成する構成を成す。このラビリンスシールは、フレーム突当ビードカバー２１７の第１の壁２２０の延長部分として、一次壁２６２および第２の壁２６４の形態で形成される。これにより、第１の壁２２０と、一次壁２６２と、第２の壁２６４とによって溝様構造が形成される。
【００７５】
図示の実施形態において、第２の壁２６４はほぼ平坦な部分２２１で終端する。部分２２１は、中央部分２１８に基本的に平行であり、中央部分２１８とほぼ同じ高さにある。平坦な部分２２１は、略下向きのフランジ２２２で終端する。
【００７６】
ラビリンスシールを形成する溝様構造は、ガラスリム異形材１０２のＬ字形状１０４、１０５と第１の円弧壁１０６とで形成された流路に嵌まって、窓１の閉位置において突当ビードカバー２０１、２１７とガラスリム異形材１０２との間に基本的に撥水性の移行部を形成するようになっている。すなわち、平坦な部分２２１とフランジ２２２とは、ガラスリム異形材１０２の尖端１０７および２つの円弧壁１０６、１０８にほぼ重なるようになっている。これは、ビードカバー２０１、２１７に落ちる如何なる降水も突当ビードカバー２０１、２１７のラビリンスシール経由で、またはフランジ２２２経由で、窓ガラス４に重なるガラスリム異形材１０２の部分に、更には窓ガラス４に、効果的に導かれて遠ざけられるという効果を有する。したがって、壁１０４、１０５と第１の円弧壁１０６とで形成されたガラスリム異形材１０２の流路への降水の進入が大幅に防止されることになる。これは、貫通穴１１２、およびガラスリム異形材１０２を側辺サッシ部材１１に固締するためにそこに挿入されたねじ、への如何なる降水の接触も基本的に防止されるので、有利である。したがって、ねじ穴経由での側辺サッシ部材１１への湿気の侵入とねじの劣化とが防止されるか、または少なくとも軽減される。
【００７７】
次に、フレーム突当ビードカバー２１７が組み付けられた状態で上端となるべく意図された端部２６６に目を向けると、図５において最もよく分かるように、ほぼ矩形の切欠き２２９が上縁２２８に設けられている。切欠き２２９の側縁２３０および２３１は、上辺ケーシングロック機構５３５に設けられた構造５４２の両側面に設けられた切込み５４２ａ、５４２ｂに噛み合うべく構成されている。切欠き２２９の下縁２３２は、構造５４２の中間面５６５に当接すべく構成されている。したがって、フレーム突当ビードカバー２１７の切欠き２２９は、組み付け中に適正に位置付けられるように、上辺ケーシングロック機構５３５の構造５４２とその切込み５４２ａ、５４２ｂとに摺動係合すべく構成される。
【００７８】
サッシ突当ビードカバー２０１に目を向けると、組み付けられた状態で下端となるべく意図された端部２６９は、図９において最もよく分かるように、ガラス上方下辺サッシカバー３１９に対して組み付け手段としての役割を果たす折り返し部分２０７側に斜面２８０を有する。図１０において最もよく分かる組み付け手段２０７とガラス上方下辺サッシカバー３１９上において対になる組み付け手段との連係は、それ自体は公知の方法で行われるので、ここでは詳細には説明しない。
【００７９】
次に図１１に移ると、サッシ突当ビードカバー２０１が組み付けられた状態で上端となるべく意図された端部２６８には、サッシ突当ビードカバーの一部の延長部分２８１が設けられている。サッシ突当ビードカバー２０１の延長部分２８１は、降水をサッシ構造からより良好に排水させる。
【００８０】
図２および図１３〜１５を参照すると、窓１は、サッシ突当ビードカバー２０１ならびにフレーム突当ビードカバー２１７を更に備える。サッシ突当ビードカバー２０１ならびにフレーム突当ビードカバー２１７には、サッシまたはフレーム突当ビードカバー２０１または２１７をサッシ３またはフレーム２に固締するためのスナップロック固締手段の雄部２０８が設けられている。
【００８１】
以下において、スナップロック固締手段の雄部２０８は、フレーム突当ビードカバー２１７に言及して説明されるが、サッシ突当ビードカバー２０１のスナップロック固締手段の雄部も同様であることを理解されたい。
【００８２】
図１３を参照すると、雄部２０８は第１の脚部２１０と第２の脚部２１１とを備え、両脚部はフレーム突当ビードカバー２１７の中央部分２１８の下からビードカバー２１７の中央部分２１８に対してほぼ垂直に延在する。第１の脚部２１０は第２の脚部２１１より短く、好ましくは第２の脚部２１１の長さのほぼ１／４〜３／４である。
【００８３】
第１の脚部２１０は、雄部２０８をフレーム突当ビードカバー２１７に固締するための固締手段、好ましくはポップリベット２１２、を収容可能な厚みを有する。
【００８４】
第２の脚部２１１は、それ自体の長手方向に対して垂直な方向２８３に可撓性があり、第１の脚部２１０側に、および第１の脚部２１０から遠ざかる方向に、撓み得る。第２の脚部２１１の第１の脚部２１０側とは反対側の面に突起２１６が設けられている。
【００８５】
雄部２０８は、スナップロック固締手段の雌部２０９にスナップロック式に係合するようになっている。サッシおよびフレーム突当ビードカバーのそれぞれの雄部２０８のために、サッシ３およびフレーム２のそれぞれに、雌部２０９が設けられている。
【００８６】
図４ａおよび図４ｂから最もよく分かるように、フレーム突当ビードカバー２１７に設けられた雄部を受け入れるようになっている雌部２０９は、ピボットヒンジのフレーム側部分２０に固締されるべく構成されている。同様に、サッシ突当ビードカバー２０１に設けられた雄部を受け入れるようになっている雌部２０９'は、ピボットヒンジ２００のサッシ側部分（不図示）に固締されるべく構成されている。雌部２０９および２０９'は、必ずしもピボットヒンジの対応部分に固締される必要はないことを理解されたい。これら雌部は、側辺サッシ部材１１と側辺フレーム部材７のそれぞれに直接固締されることが予想される。図１４および図１５に示されている雌部２０９は、フレーム突当ビードカバー２１７に係合するようになっているものであり、側辺フレーム部材７の表面に固締される。
【００８７】
スナップロック固締手段の雌部２０９は、全体として角ブラケットの形状を有する。その１つの脚部２１３は、ヒンジ部１９、２０または側辺部材７、１１に固締するようになっている。その別の脚部２１４は、（図１４に示されているように）上記の種類の雄部２０８を受け入れるべく構成された開口部２１５を有する。ピボットヒンジ２００のヒンジ部は、スナップロック固締手段の雌部２０９の形成を助ける要素を有し得る。スナップロック固締手段の雌部２０９は、ヒンジ部に一体に形成され得る。
【００８８】
開口部２１５の形状は、実質的に、挿入された雄部２０８が雌部２０９内に保持されるようになっている。このために、第２の脚部２１１の可撓性および突起２１６は、スナップロック効果を得るために役立つ。
【００８９】
雌部２０９とのスナップロック係合から雄部２０８を解放するには、雄部２０８の第２の脚部２１１を雄部２０８の第１の脚部２１０に向けて押してゆくと、第２の脚部２１１の突起２１６が、雄部２０８の残りの部分と共に、開口部２１５を通過できるようになる。これで、雄部２０８を雌部２０９から引き出すことができる。
【００９０】
ねじによる従来技術の固締に勝る上記のスナップロック固締手段による突当ビードカバーの固締の利点は、本固締手段は突当ビードカバーに固締され、ねじのように容易に紛失されないことである。また、突当ビードカバーには、組み付け用ねじを挿入するための貫通穴がない。したがって、フレームおよびサッシ構造内に水が侵入する危険性が減る。また、より良好でより均質な外観が得られる。更に、この実施形態は、外側からのアクセスが可能なねじがないので、住居侵入に対してより安全な組み付けをもたらす。更に、このスナップロック係合を解除するには、雄部２０８の第２の脚部２１１の突起２１６を内側から押す必要があるので、窓１が組み付けられた建物の内側からしか解除できない。
【００９１】
このスナップロック固締手段の雄部２０８および雌部２０９は、どちらもＰＯＭ製である。ポリマーの使用は有利である理由は、ポリマーは熱伝導性が低いからである。したがって、熱ブリッジが形成される危険性が減る。更に、ＰＯＭは、突当ビードカバーの安全確実かつ堅固な固締をもたらすために十分に高い引っ張り強度を有する。
【００９２】
ただし、スナップロック固締手段の雄部および雌部は、十分に高い引っ張り強度を有する好適な材料であれば如何なる材料でも作られ得ることが予想される。例えば、スナップロック固締手段の雄部は、適した可撓性および強度を有する金属または合金、あるいはこれらの組み合わせ、で作られた板ばねの形態でもよい。雌部は、堅牢性および熱ブリッジの形成の回避に関して、この板ばね材料に好適に匹敵するようになっている材料であれば如何なる材料でも作られ得る。
【００９３】
別の実施形態において、スナップロック固締手段の雌部は、サッシおよび／またはフレーム突当ビードカバーに設けられ、スナップロック固締手段の雄部は、サッシおよび／またはフレームに設けられる。
【００９４】
下辺フレームカバー２３７が設けられる。図９および図１６において最もよく分かるように、下辺フレームカバー２３７は、組み付けられた状態で、その長手方向２４９が下辺フレーム部材６の長手方向に沿って延在するようになっている。下辺フレームカバー２３７は、降水の侵入から下辺フレーム部材６を保護するように、基本的に、下辺フレーム部材６の全長に沿って延在すべく構成される。
【００９５】
下辺フレームカバー２３７は、その長手方向２４９に垂直な平面を中心として基本的に対称である。以下においては、一方の側辺フレーム部材７と連係するようになっている下辺フレームカバー２３７の端部２３８とこの端部２３８と連係する各要素とに焦点を当てる。ただし、これらの考察は、下辺フレームカバー２３７の反対側端部とこの端部と連係する各要素にも当てはまることを理解されたい。
【００９６】
下辺フレームカバー２３７の端部域２３８は、以下に詳細に説明する中間部材２４５を介して、角ブラケット２３９用の組み付け部としての役割を果たすようになっている。角ブラケット２３９は、フレーム側辺部材と側辺フレームカバーとに接続されるようになっている継ぎ手セットの一部を形成する。
【００９７】
角ブラケット２３９は長手方向２４０を有し、組み付けられた状態で、その長手方向２４０が側辺フレーム部材７の長手方向に沿って延在するようになっている。このために、側辺フレーム部材７には、（詳細には図示されていない）凹部が設けられている。
【００９８】
図１８から最もよく分かるように、角ブラケット２３９は、第１の壁２４１と、第２の壁２４２とを備え、この２つの壁は基本的に互いに垂直である。
【００９９】
角ブラケット２３９の第１の壁２４１の内面は、側辺フレーム部材７の外側面７ａに（以下に詳述するように直接および間接的に）当接するようになっている。また、第１の壁２４１の内面は、下辺フレームカバー２３７の端縁２４４にも当接する（何れの図においても明確には認識不能）。
【０１００】
角ブラケット２３９の第２の壁２４２の内面は、側辺フレーム部材７の上面７ｂに、おそらく上記凹部内に、（直接および間接的に）当接するようになっている。また、第２の壁２４２の内面は、下辺フレームカバー２３７の上向き面２７４に（間接的に）当接するようになっている。
【０１０１】
角ブラケット２３９の第１の壁２４１の外面は、側辺フレームカバー２７０の第１の壁２７２の内面に当接するようになっている。角ブラケット２３９の第２の壁２４２の外面は、側辺フレームカバー２７０の第２の壁２７３の内面に当接するようになっている。
【０１０２】
図１８において最もよく分かるように、角ブラケット２３９の一端２４３において、壁２４１、２４２はそれぞれ溝２４６および２４７で終端する。溝２４６、２４７は、側辺フレームカバー２７０の第１の壁２７２および第２の壁２７３において対になる折り返し部分２７６、２７７にそれぞれ嵌まるようになっている（図１９を参照）。
【０１０３】
折り返し部分２７６、２７７および溝２４６、２４７の寸法は、角ブラケット２３９への側辺フレームカバー２７０のスナップロック係合をもたらすように構成される。これにより、ねじなどの更なる組み付け手段なしに組み付けが行われるという点で、側辺フレームカバー２７０の組み付け工程が容易になる。
【０１０４】
角ブラケット２３９には、シャッターまたは他の遮光形態などのオプションの装備品を後で組み付けるためのねじを通すための貫通穴２７８が設けられている。この図から分かるように、ここで穴２７８は、ブラケットの圧縮された部位に作られるので、例えばねじ頭用の、スペースが与えられる。ただし、この圧縮された部位は、例えば側辺フレームカバー２７０の表面の突出部（不図示）の受け入れなど、他の目的にも有用であり得るので、側辺フレームカバーと角ブラケットとの間のスナップロック係合に寄与し得る。
【０１０５】
側辺フレームカバー２７０は、角ブラケット２３９にスナップロック係合されると、保持されるので、組み付け中に側辺フレームカバー２７０が屋根から落ちる危険性が減る。
【０１０６】
また、角ブラケット２３９の長手方向の拡がり２４０は、側辺フレームカバー２７０に沿って上方に伸びている。このため、下辺フレームカバー２３７に対する、および側辺フレーム部材７に対する、側辺フレームカバー２７０の良好な案内が保証される。この結果、組み付けられた状態で、下辺フレームカバー２３７と側辺フレームカバー２７０との間の角部の安定性と堅牢性とが増す。
【０１０７】
中間要素２４５（図１７において最も明確に認識可能）が設けられる。中間要素２４５は、下辺フレームカバー２３７の端部領域２３８に位置付けられるようになっている。これは、角ブラケット２３９と、側辺フレーム部材７と、下辺フレームカバー２３７との間に位置付けられるように意図されている。
【０１０８】
中間部材は、この分野において公知である。したがって、ここでは、この中間部材２４５が公知の種類の中間部材と異なる点についてのみ説明する。これら相違点は、従来技術の中間部材は下辺フレームカバーを側辺フレームカバーに直接連結するようになっているのに対して、本中間部材２４５は下辺フレームカバー２３７を側辺フレームカバー２７０に角ブラケット２３９を介して連結するようになっている事実に関わる。
【０１０９】
したがって、組み付けられた状態で下辺フレームカバー２３７の上面２５１に平行になるべく構成された中間部材２４５の壁２５０に、スリット２４８が設けられる。スリット２４８は、角ブラケット２３９の第２の壁２４２から、角ブラケット２３９の第１の壁２４１に平行な方向に、延在する基本的にＴ字形状の突起２５２を受け入れるようになっている（図１９参照）。突起２５２のＴ字形状は、挿入された後、さかとげとして機能し、角ブラケット２３９を中間部材２４５に保持するべく意図されている。
【０１１０】
中間部材２４５の壁２５０からＬ字形状のフランジ２５３が突出する。その第１の壁２５４は壁２５０に対して基本的に垂直であり、その第２の壁２５５は壁２５０に対して基本的に平行である。サッシ３とフレーム２とが組み付けられた状態で、サッシ３が閉じられてフレーム２に接すると、このフランジはサッシ突当ビードカバー２０１のフランジに密封状に当接するようになっている。
【０１１１】
中間部材の主目的は、水密接続をもたらすことである。
【０１１２】
側辺フレームカバー２７０を案内するという局面に関しては、案内部材２５６が設けられる。案内部材２５６は、基本的にフック形状であり、その基部２５７がピボットヒンジのフレーム側部分２０に固締されるようになっており、そのフック部２５８が側辺フレームカバー２７０のフランジ２７１の周囲を締め付けるようになっている。これにより、側辺フレームカバー２７０の、ねじ不要でありながら堅固な組み付けが更に容易になる。
【０１１３】
上記のカバー部材２３７、２７０の取り付け方法に加え、フレーム部材５、６、７、８には、側方開口部とは反対側の外側面から突出する取り付け部材（不図示）が更に設けられ得る。この場合、カバー部材の穴は、カバー部材を取り付け部材に引っ掛けるために使用され得る。したがって、これらの穴は、フレーム２への容易かつ正確な取り付けに寄与し得る。これら取り付け部材は、例えば、一方の脚部がフレーム部材に取り付けられ、他方の脚部がフレームから僅かに突出して窓の外側を指す、僅かに湾曲した金属板として具現化され得る。
【０１１４】
なお、複数の好適な実施形態の上記説明は単なる例として役立ち、当業者は、添付の実用新案登録請求の範囲から逸脱することなく多くの変形例が可能であることを知るであろうことに留意すべきである。
【図面の簡単な説明】
【０１１５】
【図１】本考案による窓の組み立てられた状態を下側、すなわち内側、から見た斜視図を示す。
【図２】本考案による窓の組み立てられた状態を上側、すなわち外側、から見た斜視図を示す。
【図３】本考案による下辺サッシガスケットと、遮断要素と、窓ガラス保持装置と、下辺サッシカバーとを特徴とする、本考案による窓の下辺サッシ部材の分解図を示す。
【図４ａ】本考案によるスナップロック固締手段の雌部が取り付けられているピボットヒンジの斜視図を示す。
【図４ｂ】本考案によるスナップロック固締手段の雌部が取り付けられているピボットヒンジの斜視図を示す。
【図５】本考案による上辺ケーシングを組み付けるためのロック機構を１つの角度から見た斜視図を示す。
【図６】本考案による上辺ケーシングを組み付けるためのロック機構を別の角度から見た斜視図を示す。
【図７】本考案によるガラスリム異形材の斜視図を示す。
【図８】本考案によるガラスリム異形材と、フレーム突当ビードカバーと、側辺フレームカバーとが組み立てられた状態を断面図で示す。
【図９】本考案によるフレーム突当ビードカバー、サッシ突当ビードカバー、および側辺フレームカバーの分解図を示す。
【図１０】本考案によるサッシ突当ビードカバーの下端部の斜視図を示す。
【図１１】本考案によるサッシ突当ビードカバーの延長部分を特徴とするサッシ突当ビードカバーとフレーム突当ビードカバーとの間の移行部の斜視図を示す。
【図１２】本考案による斜切面を備えたラビリンスシールを有するフレーム突当ビードカバーの下端部の斜視図を示す。
【図１３】フレーム突当ビードカバーを本考案による窓に、本考案によるスナップロック固締手段によって、組み付ける工程の１つのステップを示す。
【図１４】フレーム突当ビードカバーを本考案による窓に、本考案によるスナップロック固締手段によって、組み付ける工程の別のステップを示す。
【図１５】フレーム突当ビードカバーを本考案による窓に、本考案によるスナップロック固締手段によって、組み付ける工程の別のステップを示す。
【図１６】本考案の一実施形態における下辺フレームカバーの斜視図を示す。
【図１７】本考案の一実施形態における下辺フレームカバーの別の角度からの斜視図を示す。
【図１８】本考案による角ブラケットの斜視図を示す。
【図１９】本考案による角ブラケットおよび側辺フレームカバーの斜視図を示す。
【図２０】図２に対応する図であり、本考案による屋根窓を１つの角度から示す。
【図２１】図１に対応する図であり、本考案による屋根窓を別の角度から示す。
【図１】
0003195254.tif 000003
【図２】
0003195254.tif 000004
【図３】
0003195254.tif 000005
【図４ａ】
0003195254.tif 000006
【図４ｂ】
0003195254.tif 000007
【図５】
0003195254.tif 000008
【図６】
0003195254.tif 000009
【図７】
0003195254.tif 000010
【図８】
0003195254.tif 000011
【図９】
0003195254.tif 000012
【図１０】
0003195254.tif 000013
【図１１】
0003195254.tif 000014
【図１２】
0003195254.tif 000015
【図１３】
0003195254.tif 000016
【図１４】
0003195254.tif 000017
【図１５】
0003195254.tif 000018
【図１６】
0003195254.tif 000019
【図１７】
0003195254.tif 000020
【図１８】
0003195254.tif 000021
【図１９】
0003195254.tif 000022
【図２０】
0003195254.tif 000023
【図２１】
0003195254.tif 000024
【手続補正書】
【提出日】平成26年11月10日(2014.11.10)
【手続補正１】
【補正対象書類名】実用新案登録請求の範囲
【補正対象項目名】全文
【補正方法】変更
【補正の内容】
【実用新案登録請求の範囲】
【請求項１】
上辺部材（５）・下辺部材（６）・２つの側辺部材を有するフレーム（２）を備えると共に、前記フレーム下辺部材（６）に組み付けられるようになっている下辺フレームカバー（２３７）と、前記側辺部材に組み付けられるようになっている側辺フレームカバー（２７０）とを含むカバー（２３７、２７０）を備える屋根窓（１）において：
前記下辺フレームカバー（２３７）は、前記側辺部材および前記側辺フレームカバー（２７０）に接続されるようになっている継ぎ手セット（２３９、２４５）を備え；
前記継ぎ手セットは角ブラケット（２３９）と中間部材（２４５）とを備え；
前記角ブラケット（２３９）は、組み付けられた状態において、その長手方向（２４０）が前記側辺部材の前記長手方向に沿って、延在するようになっている；
ことを特徴とする、屋根窓（１）。
【請求項２】
前記角ブラケット（２３９）は、前記側辺部材に設けられた凹部内に延在するようになっていることを特徴とする、請求項１に記載の屋根窓。
【請求項３】
前記角ブラケット（２３９）は第１の壁（２４１）と第２の壁（２４２）と備え、前記２つの壁は互いに対して基本的に垂直であることを特徴とする、請求項１または２に記載の屋根窓。
【請求項４】
前記第１の壁（２４１）の内面が前記下辺フレームカバー（２３７）の一端縁（２４４）に当接することを特徴とする請求項３に記載の屋根窓。
【請求項５】
前記角ブラケット（２３９）の前記第１の壁（２４１）の外面が前記側辺フレームカバー（２７０）の第１の壁（２７２）の内面に当接するようになっていることと、前記角ブラケット（２３９）の前記第２の壁（２４２）の外面が前記側辺フレームカバー（２７０）の第２の壁（２７３）の内面に当接するようになっていることとを特徴とする請求項３または４に記載の屋根窓。
【請求項６】
前記壁（２４１、２４２）は、前記側辺フレームカバー（２７０）の前記第１および第２の壁の折り返し部分（２７６、２７７）に嵌まるようになっている溝（２４６、２４７）で終端することを特徴とする請求項３乃至５の何れか１項に記載の屋根窓。
【請求項７】
前記折り返し部分（２７６、２７７）および前記溝（２４６、２４７）の寸法は、前記角ブラケット（２３９）への前記側辺フレームカバー（２７０）のスナップロック係合をもたらすように構成されることを特徴とする請求項６に記載の屋根窓。
【請求項８】
前記角ブラケット（２３９）は、その後に、シャッターまたは他の遮光形態などの、オプションの装備品を後で組み付けるためのねじを通すべく意図された貫通穴（２７８）を備えることを特徴とする請求項１乃至７の何れか１項に記載の屋根窓。
【請求項９】
組み付けられた状態で前記下辺フレームカバー（２３７）の上面（２５１）に平行になるべく構成された前記中間部材（２４５）の壁（２５０）にスリット（２４８）が設けられ、前記スリット（２４８）は、前記角ブラケット（２３９）の前記第２の壁（２４２）から前記角ブラケット（２３９）の前記第１の壁（２４１）に平行な方向に延在する基本的にＴ字形状の突起（２５２）を受け入れるようになっていることを特徴とする請求項３乃至７の何れか１項に記載の屋根窓。